(57)【特許請求の範囲】
【請求項１】
屋内外を連通する開口に設けられ、下端部に金属製の下端部材を備えて昇降可能なシャッターカーテンを備えたシャッターユニットであって、
前記シャッターカーテンが閉じた状態で、前記下端部材と上下方向に対向する上下対向部を有する金属製の下枠と、
前記上下対向部より屋内側に、前記下枠と上下方向に間隔をあけて当該下枠の上を覆う金属製の覆い部と、を有し、
前記覆い部は、前記覆い部の前記シャッターカーテン側に配置され、当該覆い部から垂設されて前記下枠上に載置される脚部を備えていることを特徴とするシャッターユニット。
【請求項２】
請求項１に記載のシャッターユニットであって、
前記脚部は、前記下枠との間に介在される断熱材を備えていることを特徴とするシャッターユニット。
【請求項３】
請求項２に記載のシャッターユニットであって、
前記断熱材は、加熱されて発泡する加熱発泡材であることを特徴とするシャッターユニット。
【請求項４】
請求項１乃至請求項３のいずれかに記載のシャッターユニットであって、
前記覆い部は、前記シャッターカーテンが閉じた状態における前記下端部材と前記上下対向部との隙間より高い位置に配置されていることを特徴とするシャッターユニット。
【請求項５】
請求項１乃至請求項４のいずれかに記載のシャッターユニットであって、
前記覆い部の上面は、前記シャッターカーテンより屋外側に設けられるデッキの上面と同じ高さをなすように配置されていることを特徴とするシャッターユニット。
【発明の詳細な説明】
【技術分野】
【０００１】
本発明は、屋内外を連通する開口に設けられ昇降可能なシャッターカーテンを備えたシャッターユニットに関する。
【背景技術】
【０００２】
屋内外を連通する開口に設けられ昇降可能なシャッターカーテンを備えたシャッターユニットとしては、例えば、住宅の窓部を構成するサッシ窓の外側に取り付けられ、下端に座板を備え昇降して開閉するシャッターカーテンと、左右一対のガイドレール同士の下側にわたって横方向に設けられるアルミ合金製の下枠と、を備えた防火窓シャッターが知られている（例えば、特許文献１参照）。この防火窓シャッターの下枠は、シャッターカーテンより屋内側に位置するサッシ窓が有する窓枠の下まで続いている。
【先行技術文献】
【特許文献】
【０００３】
【特許文献１】特開２０１４−３１６３５号公報
【発明の概要】
【発明が解決しようとする課題】
【０００４】
上記のような防火窓シャッターは、シャッターカーテンとサッシ窓の枠との見込み方向における間隔があいており、シャッターカーテンとサッシ窓の枠との間の下枠上に空間がある。このため、火災等により加熱された下枠上に、防火窓シャッターやサッシ窓が備える例えば合成樹脂製の部材などが落下すると、落下した合成樹脂製の部材が下枠により加熱されて発火する虞があるという課題がある。
【０００５】
本発明は、かかる課題に鑑みてなされたものであり、その目的とするところは、閉じられたシャッターカーテンの屋内側において下枠上に物が落下し難いシャッターユニットを提供することにある。
【課題を解決するための手段】
【０００６】
かかる目的を達成するために本発明のシャッターユニットは、屋内外を連通する開口に設けられ、下端部に金属製の下端部材を備えて昇降可能なシャッターカーテンを備えたシャッターユニットであって、前記シャッターカーテンが閉じた状態で、前記下端部材と上下方向に対向する上下対向部を有する金属製の下枠と、前記上下対向部より屋内側に、前記下枠と上下方向に間隔をあけて当該下枠の上を覆う金属製の覆い部と、を有し、前記覆い部は、前記覆い部の前記シャッターカーテン側に配置され、当該覆い部から垂設されて前記下枠上に載置される脚部を備えていることを特徴とするシャッターユニットである。
【０００７】
このようなシャッターユニットによれば、シャッターカーテンが閉じた状態で、シャッターカーテンの下端部材と上下方向に対向する、下枠の上下対向部より屋内側に、下枠と上下方向に間隔をあけて当該下枠の上を覆う金属製の覆い部が設けられているので、火災等により落下する物が下枠上に乗ることを防止することが可能である。
【０００８】
また、例え、覆い部上に落下物があったり、覆い部が踏まれたりしても、覆い部は脚部により支えられて下方に変形し難いので、覆い部を下枠と間隔をあけた位置に保持しておくことが可能である。
また、脚部が覆い部におけるシャッターカーテン側に配置されているので、火炎等の進入をより屋外側にて抑えることが可能である。
【０００９】
かかるシャッターユニットであって、前記脚部は、前記下枠との間に介在される断熱材を備えていることが望ましい。
このようなシャッターユニットによれば、脚部は下枠との間に介在される断熱材を備えているので、シャッターカーテンの屋外側から屋内側に渡って繋がっている下枠が屋外側から火炎により加熱されたとしても、熱が覆い部に伝わることを抑制することが可能である。このため、覆い部が加熱されることを抑制することが可能である。
【００１０】
かかるシャッターユニットであって、前記断熱材は、加熱されて発泡する加熱発泡材であることが望ましい。
このようなシャッターユニットによれば、脚部に備えられ、下枠との間に介在される断熱材は加熱発泡材なので、単に断熱するだけでなく、加熱発泡材が加熱された際には発泡した加熱発泡材により下枠との間の隙間が埋められる。このため、より防火性が高いシャッターユニットを提供することが可能である。
【００１１】
かかるシャッターユニットであって、前記覆い部は、前記シャッターカーテンが閉じた状態における前記下端部材と前記上下対向部との隙間より高い位置に配置されていることが望ましい。
【００１２】
このようなシャッターユニットによれば、覆い部が下端部材と上下対向部との隙間より高い位置に配置されているので、例え、下端部材と上下対向部との隙間から火炎が進入したとしても、覆い部上に落下した落下物が火炎に晒されることを防止することが可能である。
【００１３】
かかるシャッターユニットであって、前記覆い部の上面は、前記シャッターカーテンより屋外側に設けられるデッキの上面と同じ高さをなすように配置されていることが望ましい。
このようなシャッターユニットによれば、覆い部の上面とデッキの上面とが同じ高さをなすように配置されているので、シャッターカーテンを開いた状態で、シャッターカーテンの近傍において下枠の上方に突出する部位が存在しない平坦な床を形成することが可能である。
【発明の効果】
【００１４】
本発明によれば、閉じられたシャッターカーテンの屋内側において下枠上に物が落下し難いシャッターユニットを提供することが可能である。
【図面の簡単な説明】
【００１５】
【図１】本実施形態に係るシャッターユニットを示す斜視図である。
【図２】シャッターカーテンにより開口が閉止されているシャッターユニットを示す縦断面図である。
【図３】図２におけるＡ部の拡大図である。
【図４】シャッターユニットが備えるラッチ機構を説明するための斜視図である。
【図５】枠体の変形例を示す縦断面図である。
【発明を実施するための形態】
【００１６】
以下、本発明の一実施形態に係るシャッターユニットについて図面を参照して説明する。
本実施形態においては、例えば、建物１の開口１ａに設けられた枠体２と、枠体２が備えるガイド３に沿って繰り出し及び巻き上げ可能に設けられ、引き下げられた状態で開口１ａを閉止して建物１の屋内外を仕切るシャッターカーテン４と、を備えたシャッターユニット５を例に挙げて説明する。すなわち、シャッターカーテンより内側は屋内側を示し、シャッターカーテンより外側は屋外側を示している。
【００１７】
本実施形態のシャッターユニット５は、図１〜図３に示すように、屋内外を連通する建物１の開口１ａに取り付けられるアルミニウム製の押出成形部材でなる枠体２と、枠体２の上に設けられるシャッターボックス６と、シャッターボックス６を覆うカバー材６ａと、を有している。
【００１８】
以下の説明においては、シャッターユニット５が建物１等に取り付けられた状態で、上下となる方向を上下方向、シャッターユニット５が設けられている壁面に沿う方向を左右方向、屋内外方向である奥行き方向を見込み方向として示す。シャッターユニット５の各部位であっても、また、シャッターユニット５を構成する各部材については単体の状態であっても、シャッターユニット５が取り付けられた状態で上下方向、左右方向、見込み方向等となる方向にて方向を特定して説明する。
【００１９】
枠体２は、上枠２１、下枠２２、及び、左右の縦枠２３が接合されて矩形状をなしている。上枠２１及び下枠２２には、枠体２により形成される開口部２ａの屋内側を閉塞可能な引き違い障子を案内する障子レール２ｂが設けられており、また下枠２２は、引き違い障子の屋外側にて引き下げられたシャッターカーテン４の下端部と対向すべく上枠２１より屋外側に張り出している。また、屋外側にて繰り出し及び巻き上げられるシャッターカーテン４が案内されるガイド３は左右の縦枠２３にそれぞれ固定されている。
【００２０】
上枠２１は、枠体２の上に設けられるシャッターボックス６から繰り出されるシャッターカーテン４の見込み方向における昇降位置よりも屋内側に設けられており、下枠２２には上枠２１より屋外側に張り出して、引き下げられシャッターカーテン４の下端に設けられた下端部材としての座板部材７と対向する座板対向部２２ａが設けられている。
【００２１】
下枠２２は、屋内側に２枚の引き違い障子がそれぞれ案内される２本の障子レール２ｂと、障子レール２ｂの屋外側に網戸を案内する網戸レール２ｃとを備えている。また、下枠２２の左右方向における中央に、シャッターカーテン４に設けられた後述する錠機構８（図４）とともにラッチ機構を形成する錠受部９が設けられている。錠受部９は、図４に示すように、上方が開放されて下方に窪む収容部９ａと、収容部９ａ内の上端部側に見込み方向に沿って掛け渡されたピン９ｂとを備えている。
【００２２】
また、下枠２２の２本の障子レール２ｂ間は、障子レール２ｂ間を覆うレール間カバー部材１０が設けられて、網戸レール２ｃより屋内側に露出する屋内側下枠上面２２ｂがほぼ平坦になるように形成されている。また、下枠２２の屋外側の上面となり、座板対向部２２ａおよび座板対向部２２ａの屋内側に位置する下枠中央部２２ｃは、屋内側下枠上面２２ｂより低く形成されて段差が設けられている。ここで、座板対向部２２ａが、シャッターカーテン４が閉じた状態で、座板部材７と上下方向に対向する上下対向部に相当する。
【００２３】
下枠２２には、引き下げられたシャッターカーテン４の屋内側に壁１１ａを形成する金属製の屋内壁部材１１が取り付けられている。屋内壁部材１１は、下枠２２に設けられ、屋外側に張り出している網戸レール２ｃと外障子用の障子レール２ｂとの間がほぼ水平な面に形成された下枠平面部２ｄの下面に重ねられてビス止めされ、屋外側に水平面を形成して延出され下枠２２と上下方向に間隔をあけて当該下枠２２の上を覆う覆い部１１ｂと、覆い部１１ｂの屋外側の縁から垂設されて下端が下枠中央部２２ｃ上に載置され、引き下げられたシャッターカーテン４の座板部材７と見込み方向に僅かに間隔をあけて屋内側に壁１１ａを形成する脚部１１ｃと、を有している。ここで、覆い部１１ｂが、上下対向部より屋内側に、下枠２２と上下方向に間隔をあけて当該下枠２２の上を覆う金属製の覆い部に相当する。
【００２４】
脚部１１ｃは、下端から僅かに高い位置にて屋内側に向かってほぼ水平に延出されて下枠中央部２２ｃと対向する枠対向面を有する下枠対向片としての延出片１１ｄを有しており、延出片１１ｄの枠対向面１１ｅには、断熱材でもあり加熱されて発泡する加熱発泡材としての熱膨張性黒鉛１２が設けられている。すなわち、脚部１１ｃは、延出片１１ｄと下枠２２の座板対向部２２ａとの間に介在される熱膨張性黒鉛１２を備えている。このとき、脚部１１ｃの延出片１１ｄより下方に突出している下方突出部１１ｇの突出量は、発泡する前の状態の熱膨張性黒鉛１２の厚みより小さく形成されており、延出片１１ｄに熱膨張性黒鉛１２が設けられた屋内壁部材１１が下枠２２に取り付けられた際には、下方突出部１１ｇの下縁は下枠中央部２２ｃに当接しないように構成されている。このため、下枠２２上を通過する人が屋内壁部材１１を踏んだとしても、下方突出部１１ｇの下縁と下枠中央部２２ｃは接触しないため、金属同士が接触する音は発生しない。
【００２５】
シャッターボックス６は、金属製の複数のスラット４ａにて形成されたシャッターカーテン４と、シャッターカーテン４が巻き付けられた巻付軸１３を備えた回動機構部（不図示）と、巻付軸１３を回動自在に支持して収容するケース１４とを有している。このとき巻付軸１３の軸方向が左右方向に沿って配置されている。
【００２６】
シャッターカーテン４は、複数のスラット４ａのうちの各々上下に位置する各々２つのスラット４ａ同士が互いに回動して屈曲自在に設けられており、上端部が巻付軸１３に固定され、下端部に座板部材７が設けられている。
【００２７】
座板部材７は、左右方向に沿って設けられる金属製の座板部材本体７１と、座板部材本体７１の下側に設けられ合成樹脂製の繊維が起毛状に設けられたモヘアと呼ばれるシール材７２とを有している。座板部材本体７１は、シャッターカーテン４が降ろされたときに下枠２２の屋外側の部位の上面となる座板対向部２２ａと上下方向に対向する下枠対向部７ａと、下枠２２の屋外側の先端部より屋外側に位置して見込み方向に対向する先端対向部７ｂを有している。シャッターカーテン４が閉じられた状態で、座板部材本体７１が下枠２２の座板対向部２２ａと上下方向に僅かに間隔をあけて対向しており、座板部材本体７１と座板対向部２２ａとの隙間Ｓはシール材７２により塞がれて開口１ａが閉止されている。
【００２８】
シール材７２は、座板部材本体７１の下枠対向部７ａより下方に突出させて設けられている。また、座板部材７には、左右方向における中央に、下枠２２に設けられたピン９ｂとともに後述するラッチ機構を構成する錠機構８が設けられている。シャッターカーテン４はラッチ機構により下枠２２に係止される。
【００２９】
錠機構８は、図４に示すように、見込み方向に沿う軸８ｃまわりに回動可能に設けられた錠部材８ａが、通常はばね８ｂにより錠受部９のピン９ｂとの係合が解除された姿勢に維持されており、シャッターカーテン４が引き下げられるときにピン９ｂとの係合部８ｄと軸８ｃを挟んで反対側に設けられた押圧部８ｅにピン９ｂが接触するように構成されている。押圧部８ｅにピン９ｂが接触した状態からシャッターカーテン４を更に引き下げることにより錠部材８ａがばね８ｂの付勢力に抗して回動し、係合部８ｄがピン９ｂと係合する。係合部８ｄがピン９ｂと係合したときに、解除可能なストッパーにより錠部材８ａの戻り方向の回転が規制されることにより錠部材８ａが錠受部９に係止され、シャッターカーテン４が巻き上げられない状態となる。尚、図２、図３においては錠機構８を省略しており、図４においては、錠受部９を透かして示している。
【００３０】
錠部材８ａを錠受部９に確実に係止可能とするために、シャッターカーテン４は、ラッチ機構により係止された状態を維持しつつ僅かに上下方向に移動可能に構成されている。すなわち、シャッターカーテン４は、ラッチ機構により係止された状態であっても、座板部材本体７１が下枠２２の座板対向部２２ａと接触しているとは限らず、座板部材本体７１と座板対向部２２ａとの間に隙間が生じている場合がある。このため、座板部材本体７１には下枠対向部７ａより下方に突出させてシール材７２が設けられており、シャッターカーテン４が係止された状態では、常にシール材７２が座板対向部２２ａに当接されることにより、座板部材本体７１と座板対向部２２ａとの間の隙間Ｓを塞ぎ、シャッターカーテン４により開口１ａが閉じられて屋内外が仕切られるように構成されている。このため、座板部材７に設けられている合成樹脂製のシール材７２、または、合成樹脂製のシール材７２および金属製の座板部材本体７１が座板対向部２２ａに当接されてシャッターカーテン４により開口１ａが閉じられた状態となる。
【００３１】
そして、下枠２２に設けられる屋内壁部材１１の覆い部１１ｂは、少なくとも錠部材８ａが錠受部９に係止されて閉じられた状態のシャッターカーテン４における座板部材７の下枠対向部７ａと、下枠２２の座板対向部２２ａとの間に形成される隙間Ｓよりも高い位置に、下枠２２の下枠中央部２２ｃと上下方向に間隔をあけて配置されている。このため、下枠２２の下枠中央部２２ｃは、上下方向に間隔をあけて配置された覆い部１１ｂに覆われているので、シャッターユニット５の上部に設けられた物等が落下したとしても、下枠中央部２２ｃに接触されることはない。
【００３２】
シャッターユニット５は、前述したように、シャッターカーテン４が閉じた状態であっても座板部材７の金属製の座板部材本体７１と金属製の下枠２２の座板対向部２２ａとの間には隙間Ｓが生じて密着していない。このため、火災等により屋外側からの火炎に晒されると、座板部材本体７１と下枠２２との隙間Ｓから火炎が進入し、座板部材本体７１と下枠２２との間を塞いでいる合成樹脂製のシール材７２が溶融されて、屋内外が貫通する。このとき、下枠２２には、シャッターカーテン４の座板部材７と見込み方向に僅かに間隔をあけて屋内側に、座板部材本体７１と下枠２２との隙間Ｓより高い壁１１ａを形成する脚部１１ｃを有する屋内壁部材１１が取り付けられているので、進入した火炎が屋内壁部材１１より屋内側に進入することを抑制することが可能である。
【００３３】
本実施形態における脚部１１ｃは、覆い部１１ｂの屋外側の縁から垂設されているので、屋外側であって、シャッターカーテン４に近い側に隙間Ｓより高い壁１１ａが形成される。このため、より屋外側にて火炎の屋内側への進入を防止することが可能である。尚、脚部１１ｃは、必ずしも覆い部１１ｂの屋外側の縁から垂設されていなくとも構わず、覆い部１１ｂと下枠２２の下枠中央部２２ｃとの間隔をあけて下枠中央部２２ｃの位置を保持すべく、下端が下枠２２上に載置される構成であれば構わない。
【００３４】
また、覆い部１１ｂは、脚部１１ｃにより隙間Ｓよりも高い位置が維持されているので、例え、火災等によりシャッターユニット５の上部に設けられた物が落下したとしても、覆い部１１ｂ上に乗るだけなので、火炎に晒されることはない。このため、落下した物が火炎により燃焼することを防止することが可能である。また、例え、覆い部１１ｂ上に落下物があったり、覆い部１１ｂが踏まれたりしても、覆い部１１ｂは脚部１１ｃにより支えられて下方に変形し難いので、覆い部１１ｂを下枠２２と間隔をあけた位置に保持しておくことが可能である。
【００３５】
また、屋内壁部材１１と下枠２２との間には、熱膨張性黒鉛１２が設けられているので、シャッターカーテン４の下から繋がっている下枠２２が火炎により加熱されたとしても、屋内壁部材１１及び屋内が加熱されることを抑制することが可能である。このため、例えば、下枠２２より上方に設けられている合成樹脂製の風止め板などの可燃性の部材が屋内壁部材１１上に落ちたとしても、熱により発火することを抑制することが可能である。また、断熱材を熱膨張性黒鉛１２としたので、単に断熱するだけでなく、熱膨張性黒鉛１２が加熱された際には発泡した熱膨張性黒鉛１２により屋内壁部材１１と下枠２２との間の隙間Ｓが埋められる。このため、より防火性が高いシャッターユニット５を提供することが可能である。
【００３６】
また、図２に示すように、屋内壁部材１１の覆い部１１ｂの上面１１ｆと屋外に設けられるデッキ１５の上面１５ａとを同じ高さに合わせることにより、シャッターカーテン４を開いた状態で、下枠２２の屋内外の近傍において上方に突出する部位が存在しない平坦な床を形成することが可能である。ここで、覆い部１１ｂの上面１１ｆとデッキ１５の上面１５ａとは必ずしも正確に同じ高さをなしていなくともよく、同じ高さをなすように配置されることによりほぼ同じ高さをなしていれば構わない。
【００３７】
また、脚部１１ｃの延出片１１ｄと下枠２２の座板対向部２２ａとの間に熱膨張性黒鉛１２が介在されているので、下枠２２が火炎に晒されて加熱されたとしても、屋内壁部材１１に伝わることを防止することが可能である。このとき、熱膨張性黒鉛１２を延出片１１ｄの限られた領域に貼り付けるので、熱膨張性黒鉛１２の位置決めが容易である。さらに、熱膨張性黒鉛１２は座板対向部２２ａとの間に介在されて外部から視認し難いので意匠性にも優れている。
【００３８】
上記実施形態においては、引き違い障子を案内する障子レール２ｂと座板部材７が当接される座板対向部２２ａとが一体となった枠体２を備えたシャッターユニット５を例に挙げて説明したが、これに限らず、たとえば図５に示すような、引き違い障子を案内する障子レール２ｂを備えた障子枠１６と、座板部材７と対向する座板対向部１７ａを備えたシャッター枠１７とが、別の部材であっても構わない。この場合には、屋内壁部材１１の脚部１１ｃは、シャッターカーテン４の座板部材７と見込み方向に僅かに間隔をあけて屋内側に壁１１ａを形成し、覆い部１１ｂはシャッター枠１７が固定されている建物の外壁側までシャッター枠１７を覆うように設けられていることが望ましい。
【００３９】
上記実施形態においては、断熱材を熱膨張性黒鉛１２としたが、これに限らず断熱性を有する部材であれば構わない。また、断熱材を加熱発泡材とし、加熱発泡材の一例として熱膨張性黒鉛１２を示したがこれに限るものではない。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４１】
１ａ  開口、２  枠体、４  シャッターカーテン、５  シャッターユニット、
７  座板部材、１１  屋内壁部材、１１ａ  壁、１１ｂ  覆い部、
１１ｃ  脚部、１１ｆ  上面、１２  熱膨張性黒鉛、１５  デッキ、
１５ａ  上面、１６  障子枠、１７  シャッター枠、２２  下枠、２２ａ  座板対向部、
Ｓ  隙間
【図１】
0006603103.tif 000002
【図２】
0006603103.tif 000003
【図３】
0006603103.tif 000004
【図４】
0006603103.tif 000005
【図５】
0006603103.tif 000006